(57)【要約】      （修正有）【課題】異なる伝送速度を混在させる波長分割多重伝送システムにおいて、信号光の速度を光のまま識別できるようにする。【解決手段】所定のパワーに制御された入力信号光を伝送路から分岐し、光フィルタ３に通過させて前記入力信号光の一部のスペクトル成分を取り除き、前記光フィルタ３を通過した信号光のパワーに基づいて前記入力信号光の速度を識別する。光スイッチにより、識別の結果に応じた方路へ信号光を出力する。また、識別した速度が予定したものでない時は警報を出力する。【選択図】図２
2009284347.tif 000002
【特許請求の範囲】
【請求項１】
所定のパワーに制御された入力信号光の一部のスペクトル成分を取り除く光フィルタと、
前記光フィルタを通過した信号光のパワーに基づいて前記入力信号光の速度を識別する識別部と、
をそなえることを特徴とする、信号光識別装置。
【請求項２】
前記信号光を前記識別の結果に応じた方路へ出力する光スイッチ部、
をそなえることを特徴とする、請求項１記載の信号光識別装置。
【請求項３】
前記方路は、
前記信号光を遮断する光終端部への方路である、
ことを特徴とする、請求項２記載の信号光識別装置。
【請求項４】
前記方路は、
前記識別した速度に応じたネットワークへの方路である、
ことを特徴とする、請求項２又は３に記載の信号光識別装置。
【請求項５】
前記識別した速度が前記入力信号光の速度として予定していた速度でないと、アラーム処理を行なうアラーム処理部、
をそなえることを特徴とする、請求項１〜４のいずれか１項に記載の信号光識別装置。
【請求項６】
ＷＤＭ（Wavelength Division Multiplexing）信号光を送信するＷＤＭ伝送装置であって、
異なる波長を有する複数の信号光を波長多重する波長多重部と、
前記波長多重部で波長多重される前の信号光、又は、前記波長多重部で波長多重された後の前記複数の信号光成分のいずれかを入力信号光として、前記入力信号光の速度を識別する請求項１記載の信号光識別装置と、
をそなえたことを特徴とする、ＷＤＭ伝送装置。
【請求項７】
ＷＤＭ（Wavelength Division Multiplexing）信号光を受信するＷＤＭ伝送装置であって、
受信した前記ＷＤＭ信号光を波長ごとに分離する波長分離部と、
前記波長分離部で分離された信号光を入力信号光として、前記入力信号光の速度を識別する請求項１記載の信号光識別装置と、
をそなえたことを特徴とする、ＷＤＭ伝送装置。
【請求項８】
所定のパワーに制御された入力信号光を光フィルタに通過させて前記入力信号光の一部のスペクトル成分を取り除き、
前記光フィルタを通過した信号光のパワーに基づいて前記入力信号光の速度を識別する、
ことを特徴とする、信号光識別方法。
【発明の詳細な説明】
【技術分野】
【０００１】
本件は、信号光識別装置、ＷＤＭ（Wavelength Division Multiplexing）伝送装置及び信号光識別方法に関する。本件は、例えば、ＷＤＭ伝送システムに用いられる場合がある。
【背景技術】
【０００２】
近年、次世代の４０Ｇｂｐｓ光伝送システムの導入に対する要求が高まっている。しかも、４０Ｇｂｐｓ光伝送システムにおいて、１０Ｇｂｐｓの信号光と同程度の伝送距離及び周波数利用率を達成することが求められている。
そこで、それらを実現する手段の１つとして、Return to Zero-Differential Phase Shift Keying（ＲＺ−ＤＰＳＫ）変調方式やCarrier Suppressed RZ-DPSK（ＣＳＲＺ−ＤＰＳＫ）変調方式などを用いる方法がある。
【０００３】
これらの変調方式は、例えば１０Ｇｂｐｓ以下の光伝送システムで用いられることのあるＮＲＺ（Non Return to Zero）変調方式に比して、光信号対雑音比（Optical Signal Noise Ratio、ＯＳＮＲ）耐力及び非線形性耐力に優れている。
また、上記の変調方式に比して、狭スペクトル（高周波数）な、RZ-Differential Quadrature Phase Shift Keying（ＲＺ−ＤＱＰＳＫ）変調方式やCarrier Suppressed Return to Zero-Quadrature Phase Shift Keying（ＣＳＲＺ−ＤＱＰＳＫ）変調方式などの研究開発も活発である。
【０００４】
上記ＤＰＳＫ変調方式、又は、ＤＱＰＳＫ変調方式で変調された信号光を復調する光受信装置としては、遅延干渉計を用いるものが検討されている。
さらに、既存のシステム資源の有効利用という観点から、市場のニーズの１つとして、ＤＰＳＫ変調あるいはＤＱＰＳＫ変調などを施された４０Ｇｂｐｓの信号光と、ＮＲＺ変調などを施された既存の１０Ｇｂｐｓの信号光と、をＷＤＭ伝送システムにおいて混在させて運用したい場合がある。
【特許文献１】特開２００６−５９３７号公報
【発明の開示】
【発明が解決しようとする課題】
【０００５】
上述のようなＷＤＭ伝送システムでは、例えば、信号光の速度に応じた波長割り当てや、信号光の速度に応じたルーティング制御などを行なうことがある。しかしながら、従来の技術において、信号光速度の識別は、光受信処理、例えば、受信信号光の電気信号への変換を行なうことで可能となるに留まる。
本件の目的の一つは、信号光の速度を光のままで識別できるようにすることにある。
【０００６】
なお、前記目的に限らず、後述する実施形態に示す各構成により導かれる作用効果であって、従来の技術によっては得られない作用効果を奏することも他の目的の一つとして位置付けることができる。
【課題を解決するための手段】
【０００７】
例えば、以下の手段を用いる。
（１）所定のパワーに制御された入力信号光の一部のスペクトル成分を取り除く光フィルタと、前記光フィルタを通過した信号光のパワーに基づいて前記入力信号光の速度を識別する識別部と、をそなえる信号光識別装置を用いることができる。
（２）また、ＷＤＭ信号光を送信するＷＤＭ伝送装置であって、異なる波長を有する複数の信号光を波長多重する波長多重部と、前記波長多重部で波長多重される前の信号光、又は、前記波長多重部で波長多重された後の前記複数の信号光成分のいずれかを入力信号光として、前記入力信号光の速度を識別する上記信号光識別装置と、をそなえたＷＤＭ伝送装置を用いることができる。
【０００８】
（３）さらに、ＷＤＭ信号光を受信するＷＤＭ伝送装置であって、受信した前記ＷＤＭ信号光を波長ごとに分離する波長分離部と、前記波長分離部で分離された信号光を入力信号光として、前記入力信号光の速度を識別する上記信号光識別装置と、をそなえたＷＤＭ伝送装置を用いることができる。
（４）また、所定のパワーに制御された入力信号光を光フィルタに通過させて前記入力信号光の一部のスペクトル成分を取り除き、前記光フィルタを通過した信号光のパワーに基づいて前記入力信号光の速度を識別する、信号光識別方法を用いることができる。
【発明の効果】
【０００９】
信号光の速度を光のままで識別することが可能である。
また、ＷＤＭ伝送システムの伝送効率の低下を抑制することが可能となる。
【発明を実施するための最良の形態】
【００１０】
以下、図面を参照して実施の形態を説明する。ただし、以下に示す実施形態は、あくまでも例示に過ぎず、以下に示す実施形態で明示しない種々の変形や技術の適用を排除する意図はない。即ち、本実施形態は、その趣旨を逸脱しない範囲で種々変形（各実施形態を組み合わせる等）して実施することができる。
【００１１】
〔１〕一実施形態
図１は、一実施形態に係るＷＤＭ伝送システムの構成例を示すブロック図である。この図１に例示するＷＤＭ伝送システムは、例示的に、光ファイバなどの光伝送路３００により相互に通信可能に接続されたＷＤＭ伝送装置１００，２００をそなえる。
【００１２】
ＷＤＭ伝送装置１００は、例えば１０Ｇｂｐｓの光ネットワーク（１０Ｇネットワーク）５００−１や、４０Ｇｂｐｓの光ネットワーク（４０Ｇネットワーク）６００−１から信号光を受信してＷＤＭ伝送装置２００へ送信することができる。
ＷＤＭ伝送装置２００は、光伝送路３００から受信したＷＤＭ信号光を他の１０Ｇネットワーク５００−２や４０Ｇネットワーク６００−２へ送信（ルーティング）することができる。なお、図１には、紙面左から右方向への片方向の光通信に着目した構成を例示しているが、双方向の通信を行なうことも可能である。
【００１３】
ここで、例えば送信側のＷＤＭ伝送装置１００において、４０Ｇｂｐｓの信号光の伝送を行なう場合に、隣接する波長にＮＲＺ変調方式などの１０Ｇｂｐｓの信号光が存在するとスペクトルが重なることによって、Cross Phase Modulation（ＸＰＭ）が発生し、受信側において受信エラーとなる場合がある。
そのため、ＷＤＭ伝送システムのユーザ（ネットワーク管理者など）には、ＷＤＭ信号光のどの波長にどの速度の信号光を割り当てるかを慎重に選択することが要求される。
【００１４】
しかしながら、既述のように、信号光の速度は受信処理（電気信号処理）してみないと識別できない。そのため、仮にユーザによる光ファイバなどの接続ミスが生じて、意図しない信号速度の光をＷＤＭ伝送装置１００に入れてしまっても回線に影響が出ない限り、ミスが発生したことに気づくのは難しい。その結果、長期に亘ってＸＰＭが発生し、ＷＤＭ伝送システムの伝送効率が低下する場合がある。
【００１５】
また、ＷＤＭ伝送装置２００において、１０Ｇネットワーク５００−２及び４０Ｇネットワーク６００−２への信号光の速度に応じた方路への振り分け（ルーティング制御）を行ないたい場合、電気信号処理してみないと速度が識別できないため、コンピュータ等を使った細かい制御が必要となり管理が煩雑になってしまうおそれがある。
そこで、本例においては、信号速度の速い信号光ほど周波数領域でのスペクトル幅が広がる傾向に着目し、スペクトル幅の相違を基に信号光速度の識別を行なう。例えば、１０Ｇｂｐｓの信号光と、４０Ｇｂｐｓの信号光とのスペクトル幅とを比較すると、およそ２倍の差がある。したがって、例えば、所定のパワーに制御された入力信号光の一部のスペクトル成分のパワーをモニタすることで前記入力信号光の速度を識別することが可能となる。この識別方法によれば、入力信号光を電気信号に変換することなく（電気信号処理せずに）、入力信号光の速度を光のまま識別することが可能となる。
【００１６】
したがって、ＷＤＭ伝送装置１００に対する予定しない速度の信号光の誤接続を容易に検出することが可能となり、予期しないＸＰＭの発生を防止することが可能となる。
また、ＷＤＭ伝送装置２００では、信号光の速度を光のままで識別して当該識別結果に応じたルーティング制御を行なうことが可能となるので、ＷＤＭ伝送システムの管理制御を単純化することが可能となる。
【００１７】
〔２〕ＷＤＭ伝送システムの具体例
以下、上述したＷＤＭ伝送システムの詳細について説明する。
（２．１）実施例１
図２は実施例１に係るＷＤＭ伝送システムの構成を示すブロック図である。この図２に示すＷＤＭ伝送システムは、光送信局の一例としてのＷＤＭ伝送装置１００と、光受信局の一例としてのＷＤＭ伝送装置２００と、光送信局１００と光受信局２００とを接続する光伝送路３００と、をそなえる。光送信局１００は、送信側ネットワーク（図示省略）から受信した波長の異なる複数の信号光を波長多重し、ＷＤＭ信号光を光伝送路３００に送出する。光受信局２００は、光送信局１００から受信したＷＤＭ信号光を波長分離して、受信側ネットワーク（図示省略）へ送出する。
【００１８】
この光受信局２００は、例示的に、ＷＤＭカプラ５０をそなえる。このＷＤＭカプラ（波長分離部）５０は、光伝送路３００からのＷＤＭ信号光を波長ごとに分離する。
一方、光送信局１００は、例示的に、監視ユニット１０−１〜１０−Ｎ（Ｎは自然数）と、アラーム処理部２０と、ターミネータ３０と、ＷＤＭカプラ４０と、をそなえる。各監視ユニット１０−１〜１０−Ｎには、それぞれ波長の異なる信号光が入力され、各監視ユニット１０−１〜１０−Ｎを通過した信号光がＷＤＭカプラ４０により波長多重されて光伝送路３００へ送出される。なお、以下において、上記の監視ユニット１０−１〜１０−Ｎをそれぞれ区別しない場合は、単に、監視ユニット１０と表記する。
【００１９】
ここで、光送信局１００の監視ユニット１０は、波長毎に、入力信号光の速度を光のまま識別して、その識別結果に基づき、アラーム処理部２０及びターミネータ３０と協動してアラーム処理及び光終端処理を行なう。
このため、本例の各監視ユニット１０は、Variable Optical Attenuator（ＶＯＡ、可変光減衰器）１と、光カプラ２と、光フィルタ３と、Photo Diode（ＰＤ）４と、判定部５と、スイッチ部６と、をそなえる。
【００２０】
ＶＯＡ１は、監視ユニット１０に入力された信号光を所定のパワーに制御する。
光カプラ２は、ＶＯＡ１からの信号光を信号用成分の信号光と試験用成分の信号光とに分波する。このとき、信号用成分はスイッチ部６へ送出される一方、試験用成分は光フィルタ３へ送出される。なお、前記分波の割合は、信号用成分と試験用成分との比が、１０対１程度であってもよい。
【００２１】
光フィルタ３は、光カプラ２から入力される試験用成分の一部のスペクトル成分を取り除く。取り除く一部のスペクトル成分としては、例えば、試験用成分の中心周波数（即ち、入力信号光の中心周波数）を含まない所定の範囲のスペクトル成分としてもよいし、試験用成分の中心周波数を含む所定の範囲のスペクトル成分としてもよい。
ＰＤ４は、光フィルタ３を通過した信号光成分のパワーを検出し、その検出結果を判定部５に通知する。
【００２２】
判定部５は、ＰＤ４で検出した信号光成分のパワーに基づいて、入力信号光の速度を識別する。本例では、判定部５が、ＰＤ４で検出したパワーと所定の閾値とを比較し、その比較結果に基づいて、信号光の速度を識別する。
ここで、上記ＶＯＡ１，光カプラ２，光フィルタ３，ＰＤ４及び判定部５の識別動作について、図面を用いて詳述する。
【００２３】
一般的に、信号光の速度が速くなる（ビットレートが大きくなる）ほど、そのスペクトル幅は広がる傾向にある。ここでは、その一例として、図３に例示する４０Ｇｂｐｓの信号光と、図４に例示する１０Ｇｂｐｓの信号光とについて説明する。
なお、例示的に、４０Ｇｂｐｓの信号光にはＤＱＰＳＫ変調が施され、１０Ｇｂｐｓの信号光にはＮＲＺ変調が施されており、これらの変調方式の違いによってもスペクトル幅の違いが生じ得る。ただし、変調方式の違いに起因するスペクトル幅の違いは、信号光速度差に起因するスペクトル幅の違いに比して小さいから、以下では、説明を簡単にするために、変調方式の違いに起因するスペクトル幅の違いは考慮しないこととする。
【００２４】
本例では、図３及び図４に示す各信号光波形において、両信号光のピーク値（図３，４中の白抜き矢印参照）から２０ｄＢのロスとなるパワーにおけるスペクトル幅に着目する。すると、４０Ｇｂｐｓの信号光では約０．４５８ｎｍのスペクトル幅となるのに対し、１０Ｇｂｐｓの信号光では約０．２６５ｎｍのスペクトル幅となる。
つまり、４０Ｇｂｐｓの信号光のスペクトル幅のほうが、１０Ｇｂｐｓの信号光のスペクトル幅よりも約２倍広く、その利得密度についても同様に約２倍異なる。
【００２５】
そこで、本例においては、ＶＯＡ１が、光送信局１００に入力された１０Ｇｂｐｓあるいは４０Ｇｂｐｓの信号光を所定のパワーに制御し、光カプラ２が、ＶＯＡ１からの信号光を信号用成分と試験用成分とに分波し、試験用成分を光フィルタ３へ入力する。
そして、光フィルタ３が、例えば、光カプラ２からの試験用成分のうち、当該試験用成分の中心周波数を含む所定のスペクトル帯の信号光成分を通過させる。
【００２６】
このとき、光フィルタ３の通過周波数（あるいは遮断周波数）を適切に選択すると、上記スペクトル幅の違いに起因して、光フィルタ３を通過する信号光成分の速度に応じて、ＰＤ４で検出されるパワーに差が生じる。
本例の判定部５は、このパワー差に基づいて、入力信号光の速度を光のまま識別するのである。
【００２７】
本例では、例えば、光フィルタ３が１０Ｇｂｐｓの信号光をちょうど通過させるような通過周波数を光フィルタ３に設定する。なお、本例の光フィルタ３の一例として、波長可変光フィルタを用いるようにしてもよい。この場合、上記パワー差がなるべく大きくなるように、光フィルタ３の通過帯域（通過窓）が設定されるようにしてもよい。これにより、上記識別の成功確率を向上させることが可能となる。
【００２８】
ここで、図５に、周波数領域における１０Ｇｂｐｓの信号光及び４０Ｇｂｐｓの信号光を模式的に示す。
この図５において、三角形ＡＢＣ（底辺ａ、高さ２ｈ）（ａ及びｈは自然数）、三角形ＤＥＦ（底辺２ａ、高さｈ）は、それぞれ、１０Ｇｂｐｓの信号光波形、４０Ｇｂｐｓの信号光波形を模式的に示すものである。また、周波数ｂ１と周波数ｂ２とで定められるスペクトル帯域は光フィルタ３の通過帯域を示し、符号Ｇ及び符号Ｈは三角形ＤＥＦと光フィルタ３の通過窓との交点を示している。
【００２９】
１０Ｇｂｐｓ及び４０Ｇｂｐｓの信号光は、ＶＯＡ１により所定のパワー制御を施されているので、三角形ＡＢＣの面積（＝１０Ｇｂｐｓの信号光のパワー）と三角形ＤＥＦの面積（＝４０Ｇｂｐｓの信号光のパワー）とは等しい。
しかし、光フィルタ３を通過する信号光成分（周波数ｂ１と周波数ｂ２との間の部分）に着目すると、１０Ｇｂｐｓの信号光のパワーは、三角形ＡＢＣの面積（＝ａ×２ｈ×１／２＝ａｈ）となる。
【００３０】
これに対し、４０Ｇｂｐｓの信号光のパワーは、五角形ＤＧＢＣＨの面積（＝三角形ＤＥＦ−三角形ＧＥＢ−三角形ＣＦＨ＝ａｈ−ａ／２×ｈ／２×１／２−ａ／２×ｈ／２×１／２＝３ａｈ／４）となる。
したがって、光フィルタ３を通過する信号光（試験用成分）の速度が１０Ｇｂｐｓである場合は、ＰＤ４は、例えば、「ａｈ」で表されるようなパワーを検出する。一方、光フィルタ３を通過する信号光（試験用成分）の速度が４０Ｇｂｐｓである場合は、ＰＤ４は、例えば、「３ａｈ／４」で表されるようなパワーを検出する。
【００３１】
このように、図５に示す例では、入力信号光の速度差により、ＰＤ４では約２５％異なるパワーが検出される。したがって、判定部５は、このパワー差を検出することにより、入力信号光の速度を光のまま識別することができるのである。ただし、図５に示す図はあくまで説明を簡単にするための模式図であり、実際には、中心周波数部分によりパワーが集中しやすい。そこで、できるだけ狭帯域の光フィルタを用いることもできる。
【００３２】
例えば、１０Ｇｂｐｓの信号光と４０Ｇｂｐｓの信号光とを識別する場合は、光フィルタ３の通過帯域を０．１ｎｍ以下とすることが望ましい。
そして、判定部５が、ＰＤ４で検出されたパワーと適切な所定の閾値（電圧値）とを比較し、その結果、前記閾値よりも検出結果のほうが小さいと判定した場合は、ＶＯＡ１に入力された信号光の速度が４０Ｇｂｐｓであると識別する。
【００３３】
また、逆に、検出結果が前記閾値以上であると判定した場合は、ＶＯＡ１に入力された信号光の速度が１０Ｇｂｐｓであると識別する。このとき、上記所定の閾値としては、ＰＤ４で検出される１０Ｇｂｐｓの信号光パワーと４０Ｇｂｐｓの信号光パワーとの間のパワーを設定すればよい。
例えば、ＶＯＡ１により、入力信号光のパワーが１０ｍＷとなるようにパワー制御された場合、上記所定の閾値を７．５ｍＷとすることにより、上記識別を行なうことが可能となる。
【００３４】
なお、本例では、光フィルタ３が入力信号光の中心周波数を含む所定のスペクトル帯域を通過させる例について説明したが、逆に、中心周波数を含むスペクトル帯域を遮断し（取り除き）、それ以外の通過帯域におけるパワーに基づいて上記識別を実施するようにしてもよい。
この場合、上記の例では、光フィルタ３を通過する１０Ｇｂｐｓのパワーは０ｍＷとなるのに対し、光フィルタ３を通過する４０Ｇｂｐｓのパワーは２．５ｍＷとなる。
【００３５】
したがって、判定部５は、所定の閾値を２．５ｍＷに設定すれば、入力信号光の速度を識別することができる。
即ち、本例のＰＤ４及び判定部５は、光フィルタ３を通過した信号光のパワーに基づいて前記信号光の速度を識別する識別部の一例として機能する。
さらに、判定部５は、前記識別の結果に基づいて、スイッチ部６及びアラーム処理部２０の動作を制御する。
【００３６】
スイッチ部６は、判定部５からの制御に基づいて、光カプラ２からの信号用成分を前記識別結果に応じた方路（経路）へ切り替えて出力する。
本例では、例えば、入力信号光の速度が予定していた速度でないと識別された場合、入力信号光はターミネータ３０への方路へ出力される一方、それ以外の場合は、ＷＤＭカプラ４０への方路へ出力される。
【００３７】
ターミネータ（光終端部）３０は、判定部５での識別結果に基づいて、前記識別した速度が前記入力信号光の速度として予定していた速度でないと、スイッチ部６から出力される信号光を光終端する。この光終端処理の方法としては、例えば、入力された信号光を空気中へ放射するか、または、入力された信号光の光反射を抑えるようにすることにより実現してもよい。
【００３８】
アラーム処理部２０は、判定部５からの制御に基づいて、アラーム処理を行なう。本例のアラーム処理は、例えば、当該信号光が入力された監視ユニット１０のアラームランプを点灯させたり、Network Management Station（ＮＭＳ、ネットワーク管理端末）に通知したりして、ＷＤＭ伝送システムのユーザに異常を知らせるようにしてもよい。
このアラーム処理は、例えば、判定部５がスイッチ部６の出力先をターミネータ３０に切り替えることを契機として自動的に行なうようにしてもよい。
【００３９】
これにより、ＷＤＭ伝送システムのユーザ（例えば、ネットワーク管理者など）は、光送信局１００における波長割り当てが不適であることを迅速に知ることが可能となる。その結果、予期しないＸＰＭの発生を防止することができ、ＷＤＭ伝送システムの伝送効率の低下を抑制することが可能となる。
ＷＤＭカプラ（波長多重部）４０は、監視ユニット１０−１〜１０−Ｎを通過した各波長の信号光を波長多重して、光伝送路３００へ出力する。
【００４０】
即ち、上記監視ユニット１０，アラーム処理部２０及びターミネータ３０は、信号光識別装置の一例として動作する。
上述のように、本例の光送信局１００は、所定のパワーに制御された入力信号光の一部のスペクトル成分を取り除き、通過した信号光のパワーに基づいて前記信号光の速度を識別する。
【００４１】
したがって、１０Ｇｂｐｓと４０Ｇｂｐｓのような速度の異なる信号光を扱う光送信局１００において、信号光の速度を光のまま高速に識別することができるので、予期せぬ入力信号光を高速にガード（光終端）することが可能となる。
その結果、予期しないＸＰＭの発生を防止して、ＷＤＭ伝送システムの伝送効率の低下を抑制することが可能となる。
【００４２】
また、上記の例では、光送信局１００に入力される各信号光に対して上記識別を行なう例を説明したが、このような例では、光送信局１００に入力される信号光の波長は予め決まっているので、光フィルタ３を固定波長フィルタとして構成してもよい。
さらに、信号光のスペクトル幅の広がり方の違いに十分差がでるほどの速度、もしくは変調方式であれば、３種類以上の異なる速度の信号光についてもそれぞれ識別することができる。
【００４３】
なお、上記の例では、監視ユニット１０を光送信局１００のＷＤＭカプラ４０の入力部分に配置した。これは、ＷＤＭカプラ４０の入力部分では、入力信号光は多重されていないため、この場所で予期せぬ信号光を検出、ガードすることにより、他の信号光への影響を効果的に抑えることができるからである。また、入力信号光の波長が限定されており、光フィルタ３に固定波長フィルタを用いることができるので、装置のコストを抑制することが可能となる。ただし、監視ユニット１０の配置場所は、上記の場所に限定されることはなく、ＷＤＭ伝送路上であればよい。
【００４４】
さらに、例えば、ＰＤ４に入力がない場合は判定部５を機能させなくてもよいので、ＰＤ４のLoss of Light（ＬＯＬ）状態が解除されたことを契機として判定部５を起動させるようにしてもよい。
また、上記の例では、アラーム処理部２０及びターミネータ３０が各監視ユニット１０に共通であるが、監視ユニット１０に個別に設けられていてもよい。
【００４５】
（２．２）光送信局１００の動作例
次に、上記光送信局１００の動作例（信号光識別方法）について、図６を用いて説明する。
まず、ユーザが、波長多重する際に各波長に割り当てる信号光の種類（１０Ｇｂｐｓか４０Ｇｂｐｓか）をそれぞれ決定する（ステップＳ１）。このとき、ユーザは、例えば、１０Ｇｂｐｓの信号光と４０Ｇｂｐｓの信号光とが波長的に隣接しないように、各波長に割り当てる入力信号光の種類（主に速度）を決定する。
【００４６】
各判定部５は、上記決定により定められた入力信号光の種類に基づいて、後述のステップＳ６での判定（識別）論理を設定する（ステップＳ２）。
例えば、ステップＳ１において、ある波長に１０Ｇｂｐｓの信号光を割り当てることが予め決定されたとする。この場合、判定部５は、入力された当該波長の信号光速度が１０Ｇｂｐｓであると識別すれば、当該入力信号光が正しい入力であると判定する一方、４０Ｇｂｐｓであると識別すれば、当該入力信号光が正しい入力でないと判定するように判定論理を設定する。
【００４７】
なお、ステップＳ１において、ある波長に４０Ｇｂｐｓの信号光を割り当てることが予め決定されたとすると、判定部５は、上記の判定論理とは逆の設定を行なう。
次いで、監視ユニット１０は、ＶＯＡ１により入力信号光を所定のパワーに制御し、光カプラ２により信号用成分と試験用成分に分波する。そして、試験用成分を光フィルタ３に入力して、試験用成分のうち所定のスペクトル成分を遮断（あるいは通過）させる。
【００４８】
光フィルタ３を通過した試験用成分はＰＤ４によりパワー検出され、判定部５が、当該検出されたパワーと所定の閾値とを比較する（ステップＳ３）。
判定部５が、ＰＤ４で検出されたパワーが前記所定の閾値以上であると判定した場合（ステップＳ３のＹｅｓルート）、入力信号光の速度が１０Ｇｂｐｓであると識別（判定）する（ステップＳ４）。一方、判定部５が、ＰＤ４で検出されたパワーが前記所定の閾値よりも小さいと判定した場合（ステップＳ３のＮｏルート）、入力信号光の速度が４０Ｇｂｐｓであると識別（判定）する（ステップＳ５）。
【００４９】
そして、判定部５は、ステップＳ２にて設定された判定論理に従って、当該入力信号光が正しい入力であるかどうかを判断する（ステップＳ６）。
判定部５により、入力信号光が正しい入力であると判断された場合（ステップＳ６のＹｅｓルート）、入力信号光を通過させるように、スイッチ部６の出力先をＷＤＭカプラ４０への方路へ切り替え制御する（ステップＳ７）。
【００５０】
一方、入力信号光が正しい入力でないと判断した場合（ステップＳ６のＮｏルート）、アラーム処理部２０によりアラーム処理を行ない（ステップＳ８）、スイッチ部６の出力先をターミネータ３０への方路へ切り替え制御する。ターミネータ３０へと送出された信号光は、ターミネータ３０により光終端（ガード）される（ステップＳ９）。なお、ステップＳ８及びステップＳ９の処理は、逆の順序で行なってもよいし、並行して行なってもよい。
【００５１】
このように、本例では、光送信局１００において、所定のパワーに制御された入力信号光の一部のスペクトル成分を取り除き、通過した信号光成分のパワーに基づいて入力信号光の速度を識別する。
したがって、１０Ｇｂｐｓと４０Ｇｂｐｓのような速度の異なる信号光について、信号光の速度を光のまま高速に識別することができるので、予期せぬ入力信号光を高速にガードすることが可能となる。
【００５２】
また、その結果、予期しないＸＰＭの発生を防止して、ＷＤＭ伝送システムの伝送効率の低下を抑制することが可能となる。
（２．３）実施例２
また、図２に例示する光送信局１００の代わりに、図７に例示する光送信局１００Ａを用いることもできる。
【００５３】
図７は実施例２に係るＷＤＭ伝送システムの構成を示すブロック図である。この図７に示すＷＤＭ伝送システムは、光送信局としてのＷＤＭ伝送装置１００Ａと、光受信局としてのＷＤＭ伝送装置２００Ａと、光送信局１００Ａと光受信局２００Ａとを接続する光伝送路３００と、をそなえる。なお、光受信局１００Ａは、上述した光受信局１００と同様の構成、機能を有する。
【００５４】
上述した例では、ＷＤＭカプラ４０で波長多重される前の信号光を入力信号光として上記識別を行なったが、本例では、ＷＤＭカプラ４０Ａで波長多重された後の複数の信号光成分のいずれかを入力信号光として上記識別を行なう。
このため、本例の光送信局１００Ａは、例示的に、ＷＤＭカプラ４０Ａと、前記ＷＤＭカプラ４０Ａの後段に配置される、監視ユニット１０Ａと、アラーム処理部２０Ａと、ターミネータ３０Ａと、をそなえる。なお、アラーム処理部２０Ａ及びターミネータ３０Ａは、既述のアラーム処理部２０及びターミネータ３０と同様の機能を有する。
【００５５】
本例の光送信局１００ＡのＷＤＭカプラ４０Ａは、異なる波長を有する複数の信号光を波長多重してＷＤＭ信号光を出力する。
監視ユニット１０Ａは、ＷＤＭカプラ４０ＡからのＷＤＭ信号光に含まれる、波長毎の各信号光成分について、当該信号光成分の速度を光のまま識別して、その識別結果に基づき、アラーム処理、光終端処理を行なう。
【００５６】
このため、監視ユニット１０Ａは、光カプラ２Ａと、波長可変光フィルタ３Ａと、ＰＤ４Ａと、判定部５Ａと、スイッチ部６Ａと、をそなえる。
光カプラ２Ａは、ＷＤＭカプラ４０ＡからのＷＤＭ信号光を信号用成分と試験用成分とに分波する。信号用成分はスイッチ部６Ａへ送出される一方、試験用成分は波長可変光フィルタ３Ａへ送出される。このとき、前記分波の割合は、信号用成分と試験用成分との比が、１０対１程度としてもよい。
【００５７】
波長可変光フィルタ３Ａは、図示を省略する制御部からの波長設定制御に基づいて、光カプラ２Ａから入力される試験用成分（ＷＤＭ信号光）に含まれる、ある波長の信号光について、当該信号光の一部のスペクトル成分を取り除く。本例の波長可変光フィルタ３が取り除く一部のスペクトル成分としては、例えば、当該波長成分の中心周波数を含まない所定の範囲のスペクトル成分とすることができる。
【００５８】
ＰＤ４Ａは、波長可変光フィルタ３Ａを通過した信号光成分のパワーを検出し、その検出結果を判定部５Ａに通知する。
判定部５Ａは、ＰＤ４Ａで検出した信号光のパワーに基づいて、当該信号光の速度を識別する。当該識別の方法としては、例えば、ＰＤ４Ａで検出したパワーと所定の閾値とを比較し、その比較結果に基づいて、信号光の速度を識別する。この識別方法については、上述した方法と同様の方法が用いられる。
【００５９】
さらに、判定部５Ａは、前記識別の結果に基づいて、スイッチ部６Ａ及びアラーム処理部２０Ａの動作を制御する。
スイッチ部６Ａは、判定部５Ａからの制御に基づいて、光カプラ２Ａからの信号用成分（ＷＤＭ信号）を前記識別結果に応じた方路（経路）へ切り替えて出力する。
本例では、例えば、ＷＤＭ信号光の各波長成分のうち少なくとも１つの速度が予定していた速度でないと識別された場合、ＷＤＭ信号光はターミネータ３０Ａへの方路へ出力される一方、それ以外の場合は、光伝送路３００への方路へ出力される。
【００６０】
ここで、本例の光送信局１００Ａの動作の一例（信号光識別方法）について、図８を用いて説明する。
まず、ユーザが、波長多重する際に各波長に割り当てる信号光の種類（１０Ｇｂｐｓか４０Ｇｂｐｓか）をそれぞれ決定する（ステップＳ２１）。このとき、ユーザは、例えば、１０Ｇｂｐｓの信号光と４０Ｇｂｐｓの信号光とが隣接する波長同士にならないように、各波長に割り当てる入力信号光の種類（主に速度）を決定する。
【００６１】
監視ユニット１０Ａは、ＷＤＭ信号光に含まれる波長の中から、識別の対象となる最初の波長を選択する（ステップＳ２２）。
制御部（図示省略）は、選択した波長成分の中心周波数を含む所定のスペクトル成分を通過させるように、波長可変フィルタ３Ａの通過帯域を設定する（ステップＳ２３）。
次いで、判定部５Ａは、ステップＳ２１で決定された入力信号光の種類に基づいて、後述のステップＳ２８での判定（識別）論理を設定する（ステップＳ２４）。
【００６２】
監視ユニット１０Ａは、ＷＤＭカプラ４０ＡからのＷＤＭ信号光を光カプラ２Ａにより、信号用成分と試験用成分とに分波する。そして、試験用成分を波長可変光フィルタ３Ａに入力して、試験用成分についてステップＳ２３で設定された帯域のスペクトル成分を通過させる。
波長可変フィルタ３Ａを通過した試験用成分はＰＤ４Ａによりパワー検出され、判定部５Ａが、当該検出されたパワーと所定の閾値とを比較する（ステップＳ２５）。
【００６３】
判定部５Ａが、ＰＤ４Ａで検出されたパワーが前記所定の閾値以上であると判定した場合（ステップＳ２５のＹｅｓルート）、当該波長成分の信号光速度が１０Ｇｂｐｓであると識別（判定）する（ステップＳ２６）。一方、判定部５Ａが、ＰＤ４Ａで検出されたパワーが前記所定の閾値よりも小さいと判定した場合（ステップＳ２５のＮｏルート）、当該波長成分の信号光速度が４０Ｇｂｐｓであると識別（判定）する（ステップＳ２７）。
【００６４】
そして、判定部５Ａは、ステップＳ２４にて設定された判定論理に従って当該波長成分が正しい入力であるかどうかを判断する（ステップＳ２８）。
判定部５Ａにより、当該波長成分が正しい入力であると判断された場合（ステップＳ２８のＹｅｓルート）、監視ユニット１０Ａは、入力されたＷＤＭ信号光に含まれる全ての波長について、ステップＳ２８の判断を行なったかどうかを判定する（ステップＳ２９）。
【００６５】
監視ユニット１０Ａは、ＷＤＭ信号光に含まれる全ての波長について入力が正しいと判断されると（ステップＳ２９のＹｅｓルート）、ＷＤＭ信号光を通過させるようにスイッチ部６の出力先を切り替え制御してＷＤＭ信号光を通過させる（ステップＳ３０）。
一方、ＷＤＭ信号光に含まれる全ての波長について、ステップＳ２８の判断がなされていない場合は（ステップＳ２９のＮｏルート）、他の波長を識別の対象に選択して（ステップＳ３１）、ステップＳ２３からステップＳ２９までの処理を繰り返し行なう。
【００６６】
このループ処理中、ＷＤＭ信号光に含まれる複数の波長成分のうち１つでも正しい入力でないと判断された場合は（ステップＳ２８のＮｏルート）、監視ユニット１０Ａは、アラーム処理部２０Ａによりアラーム処理を行ない（ステップＳ３２）、スイッチ部６Ａの出力先をターミネータ３０Ａへの方路へ切り替え制御する。ターミネータ３０Ａへと送出された信号光は、ターミネータ３０Ａにより光終端（ガード）される（ステップＳ３３）。なお、ステップＳ３２及びステップＳ３３の処理は、逆の順序で行なってもよいし、並行して行なってもよい。
【００６７】
このように、本例では、監視ユニット１０Ａが、ＷＤＭ信号光に含まれる複数の波長の信号光について、順次、上記の速度識別処理を行なう。そして、ＷＤＭ信号光に含まれる複数の波長成分のうち１つでも正しい入力でないと判断すると、ＷＤＭ信号光をターミネータ３０Ａにより遮断する。
これにより、上述した実施例と同様の効果を得ることができるとともに、光送信局１００Ａの装置規模を小型化することが可能となる。また、光送信局１００Ａの製造コストを低減することも可能となる。
【００６８】
なお、本例の信号識別方法では、波長可変光フィルタ３Ａにより対象となる波長帯域を選択してそれぞれについて識別するので、ＷＤＭ信号光に含まれる波長数が何波であろうと速度識別を行なうことができる。
ただし、本例の構成は、１波あたりの光利得を一定にして、波長多重される波長数が増える毎にトータルパワーが増加していく制御がなされているＷＤＭ伝送装置１００Ａを想定している。このようなＷＤＭ伝送装置１００Ａでは、１波当たりの光利得（すなわち光パワー）が一定であることが前提になっているので、ＶＯＡをそなえなくてもよい。
【００６９】
（２．４）実施例３
上述した例では、送信側（光送信局１００，１００Ａ）において、入力信号光の速度を識別し、その識別の結果、入力信号光の速度が予定されていない速度であると識別された場合に当該入力信号光を光終端する例について説明した。
本例では、ＷＤＭ信号光の受信側において、波長分離された信号光を入力信号光として速度を識別し、各信号光をその識別の結果に応じた方路へと振り分ける（ルーティングする）例について説明する。
【００７０】
図９は本例に係るＷＤＭ伝送システムの構成を示すブロック図である。この図９に示すＷＤＭ伝送システムは、光送信局としてのＷＤＭ伝送装置１００Ｂと、光受信局としてのＷＤＭ伝送装置２００Ｂと、光送信局１００Ｂと光受信局２００Ｂとを接続する光伝送路３００と、をそなえる。
本例の光送信局１００Ｂは、例示的に、ＷＤＭカプラ４０Ｂをそなえる。このＷＤＭカプラ４０Ｂは、各ネットワークから入力された異なる波長の複数の信号光を波長多重して、光伝送路３００へ送出する。
【００７１】
一方、光受信局２００Ｂは、例示的に、ＷＤＭカプラ５０Ｂと、監視ユニット１０Ｂ−１〜１０Ｂ−Ｎと、をそなえる。なお、以下において、上記の監視ユニット１０Ｂ−１〜１０Ｂ−Ｎをそれぞれ区別しない場合は、単に、監視ユニット１０Ｂと表記する。
監視ユニット１０Ｂには、ＷＤＭカプラ５０Ｂで波長分離された、波長の異なる信号光がそれぞれ入力されて、当該信号光の速度を光のまま識別される。
【００７２】
そして、監視ユニット１０Ｂにより速度識別された各信号光は、前記識別された速度に応じたネットワークへの方路へ出力される。
このため、本例の監視ユニット１０Ｂは、ＶＯＡ１Ｂと、光カプラ２Ｂと、光フィルタ３Ｂと、ＰＤ４Ｂと、判定部５Ｂと、スイッチ部６Ｂと、をそなえる。
ＶＯＡ１Ｂは、ＷＤＭカプラ５０Ｂから監視ユニット１０Ｂに入力された各波長の信号光を所定のパワーに制御する。
【００７３】
光カプラ２Ｂは、ＶＯＡ１Ｂからの信号光を信号用成分の信号光と試験用成分の信号光とに分波する。信号用成分はスイッチ部６Ｂへ送出される一方、試験用成分は光フィルタ３Ｂへ送出される。このとき、前記分波の割合は、信号用成分と試験用成分との比が、１０対１程度としてもよい。
光フィルタ３Ｂは、光カプラ２Ｂから入力される試験用成分の一部のスペクトル成分を取り除く。取り除く一部のスペクトル成分としては、例えば、試験用成分の中心周波数（即ち、入力信号光の中心周波数）を含まない所定の範囲のスペクトル成分としてもよいし、試験用成分の中心周波数を含む所定の範囲のスペクトル成分としてもよい。
【００７４】
ＰＤ４Ｂは、光フィルタ３Ｂを通過した信号光のパワーを検出し、その検出結果を判定部５Ｂに通知する。
判定部５Ｂは、ＰＤ４Ｂで検出した信号光のパワーに基づいて、当該信号光の速度を識別する。当該識別の方法としては、例えば、ＰＤ４Ｂで検出したパワーと所定の閾値とを比較し、その比較結果に基づいて、信号光の速度を識別する。この識別方法については、上述した方法と同様の方法が用いられる。
【００７５】
さらに、判定部５Ｂは、前記識別の結果に基づいて、スイッチ部６Ｂの動作を制御する。
スイッチ部６Ｂは、判定部５Ｂからの制御に基づいて、光カプラ２Ｂからの信号用成分を前記識別結果に応じた方路（経路）へ切り替えて出力する。
本例では、例えば、判定部５Ｂにより、入力信号光の速度が１０Ｇｂｐｓであると識別された場合、入力信号光は１０Ｇネットワークの方路へと送出される。一方、判定部５Ｂにより、入力信号光の速度が４０Ｇｂｐｓであると識別された場合、入力信号光は４０Ｇネットワークの方路へと送出される。
【００７６】
このように、本例の光受信局２００Ｂによれば、信号光の速度を光のままで識別できるので、複雑なルーティング制御を行なわずに、管理制御が単純なＷＤＭ伝送システムを実現することが可能となる。
また、ＷＤＭカプラ５０Ｂで波長分離された後の信号光は予め波長が決まっているので、光フィルタ３Ｂには、比較的安価な固定波長フィルタを用いることができる。
【００７７】
さらに、例えば、各スイッチ部６Ｂの切り替え設定に関する情報をユーザに通知することにより、ネットワーク監視を行なうことも可能となる。
（２．５）実施例４
また、上記実施例３では、２種類の信号光速度（１０Ｇｂｐｓと４０Ｇｂｐｓ）を識別して、当該識別結果に応じたルーティングを行なう例について説明したが、３種類以上の信号光速度を識別してルーティングを行なうようにしてもよい。
【００７８】
既述のように、信号光のスペクトル幅は、変調方式にも依存するが、主に信号光速度（信号光レート）に依存する。そこで、複数の信号光が入力される場合に、各信号光速度に大きな差があれば、それらのスペクトル幅に十分大きな差が現れるので、光フィルタ３Ｃを通過後のパワー差を判定部５Ｃにより検出することができる。その結果、３種類以上の信号光の速度についても識別することが可能である。
【００７９】
図１０は実施例４に係るＷＤＭ伝送システムの構成を示すブロック図である。この図１０に示すＷＤＭ伝送システムは、光送信局としてのＷＤＭ伝送装置１００Ｃと、光受信局としてのＷＤＭ伝送装置２００Ｃと、光送信局１００Ｃと光受信局２００Ｃとを接続する光伝送路３００と、をそなえる。
なお、図１０に例示する光送信局１００Ｃ，ＷＤＭカプラ４０Ｃ，ＷＤＭカプラ５０Ｃ，ＶＯＡ１Ｃ，光カプラ２Ｃ，フィルタ３Ｃ及びＰＤ４Ｃは、それぞれ、図９に例示する光送信局１００Ｂ，ＷＤＭカプラ４０Ｂ，ＷＤＭカプラ５０Ｂ，ＶＯＡ１Ｂ，光カプラ２Ｂ，フィルタ３Ｂ及びＰＤ４Ｂと同様の機能を有する。
【００８０】
監視ユニット１０Ｃ−１〜１０Ｃ−Ｎの判定部５Ｃは、ＰＤ４Ｃで検出されたパワーと、複数の閾値との大小関係を比較する。例えば、入力信号光の速度の候補が１０Ｇｂｐｓ，４０Ｇｂｐｓ，１００Ｇｂｐｓであるとすると、ＰＤ４Ｃで検出されるパワーは、１０Ｇｂｐｓの信号光パワーが最も大きくなり、１００Ｇｂｐｓの信号光パワーが最も小さくなる。
したがって、判定部５Ｃは、ＰＤ４Ｃで検出されたパワー（Ｐ）が第１の閾値（ｘ）よりも小さいと判定した場合は、当該入力信号光の速度が１００Ｇｂｐｓであると判定する。また、ＰＤ４Ｃで検出されたパワー（Ｐ）が、第１の閾値（ｘ）以上、且つ、第２の閾値（ｙ）よりも小さいと判定した場合は、当該入力信号光の速度が４０Ｇｂｐｓであると判定する。さらに、ＰＤ４Ｃで検出されたパワー（Ｐ）が、第２の閾値（ｘ）以上と判定した場合は、当該入力信号光の速度が１０Ｇｂｐｓであると判定する。なお、第１の閾値（ｘ）及び第２の閾値（ｙ）は０以上の数であり、第１の閾値（ｘ）は第２の閾値（ｙ）よりも小さい。
【００８１】
なお、入力信号光の速度がｍ（ｍは２以上の整数）種類以上である場合は、（ｍ−１）個の閾値を適切に設定することにより、同様のルーティング制御を行なうことが可能となる。
また、監視ユニット１０Ｃ−１〜１０Ｃ−Ｎのスイッチ部６Ｃは、判定部５Ｃの識別結果に応じて、入力信号光を当該識別結果に応じた方路へと送出する。本例では、３種類以上の方路への切り替えを行なうので、スイッチ部６Ｃには、例えば、Micro Electro Mechanical Systems（ＭＥＭＳ）テクノロジーを利用した高機能な光スイッチを用いることができる。
【００８２】
これにより、入力信号光の速度が３種類以上の場合でも、上述した実施例と同様の効果を得ることができる。
【００８３】
〔３〕その他
なお、上述した光送信局１００，１００Ａ〜１００Ｃ、並びに、光受信局２００，２００Ａ〜２００Ｃの各構成及び各処理は、必要に応じて取捨選択してもよいし、適宜組み合わせてもよい。
【００８４】
また、上述した例では、ＰＤ４（又は、４Ａ〜４Ｃ）で検出されるパワー差に基づいて、入力信号光の速度を識別したが、入力信号光の速度が一定であることが決定している場合は、同様の方法により、入力信号光の変調方式を識別するようにしてもよい。例えば、判定部５が、ＰＤ４で検出されるパワーが所定の閾値以上であると判定した場合は、入力信号光に施された変調方式がＮＲＺ変調方式であると識別することができる。また、判定部５が、ＰＤ４で検出されるパワーが所定の閾値よりも小さいと判定した場合は、入力信号光に施された変調方式がＤＰＳＫ変調方式（あるいはＤＱＰＳＫ変調方式）であると識別することができる。
【００８５】
さらに、図２，図９，図１０に例示するＷＤＭ伝送システムでは、入力信号光を所定のパワーに制御するためにＶＯＡ１，１Ｂ，１Ｃを用いたが、入力信号光を所定のパワーに制御することができれば、代わりに増幅器、等化器などを用いてもよい。
さらに、上述した例では、ＷＤＭ伝送システムを例として説明したが、上記方法は、その他の伝送システムに適用してもよい。
以上の実施例１〜４を含む実施形態に関し、さらに以下の付記を開示する。
【００８６】
〔４〕付記
（付記１）
所定のパワーに制御された入力信号光の一部のスペクトル成分を取り除く光フィルタと、
前記光フィルタを通過した信号光のパワーに基づいて前記入力信号光の速度を識別する識別部と、
をそなえることを特徴とする、信号光識別装置。
【００８７】
（付記２）
前記信号光を前記識別の結果に応じた方路へ出力する光スイッチ部、
をそなえることを特徴とする、付記１記載の信号光識別装置。
【００８８】
（付記３）
前記方路は、
前記信号光を遮断する光終端部への方路である、
ことを特徴とする、付記２記載の信号光識別装置。
【００８９】
（付記４）
前記方路は、
前記識別した速度に応じたネットワークへの方路である、
ことを特徴とする、付記２又は３に記載の信号光識別装置。
【００９０】
（付記５）
前記識別した速度が前記入力信号光の速度として予定していた速度でないと、アラーム処理を行なうアラーム処理部、
をそなえることを特徴とする、付記１〜４のいずれか１項に記載の信号光識別装置。
【００９１】
（付記６）
前記一部のスペクトル成分が、前記入力信号光の中心周波数を含む所定の範囲を除いたスペクトル成分である、
ことを特徴とする、付記１〜５のいずれか１項に記載の信号光識別装置。
【００９２】
（付記７）
前記一部のスペクトル成分が、前記入力信号光の中心周波数を含む所定の範囲を含むスペクトル成分である、
ことを特徴とする、付記１〜５のいずれか１項に記載の信号光識別装置。
【００９３】
（付記８）
前記光フィルタが、
前記所定の範囲を変更しうる波長可変フィルタである、
ことを特徴とする、付記６又は７に記載の信号光識別装置。
【００９４】
（付記９）
ＷＤＭ（Wavelength Division Multiplexing）信号光を送信するＷＤＭ伝送装置であって、
異なる波長を有する複数の信号光を波長多重する波長多重部と、
前記波長多重部で波長多重される前の信号光、又は、前記波長多重部で波長多重された後の前記複数の信号光成分のいずれかを入力信号光として、前記入力信号光の速度を識別する請求項１記載の信号光識別装置と、
をそなえたことを特徴とする、ＷＤＭ伝送装置。
【００９５】
（付記１０）
ＷＤＭ（Wavelength Division Multiplexing）信号光を受信するＷＤＭ伝送装置であって、
受信した前記ＷＤＭ信号光を波長ごとに分離する波長分離部と、
前記波長分離部で分離された信号光を入力信号光として、前記入力信号光の速度を識別する請求項１記載の信号光識別装置と、
をそなえたことを特徴とする、ＷＤＭ伝送装置。
【００９６】
（付記１１）
所定のパワーに制御された入力信号光を光フィルタに通過させて前記入力信号光の一部のスペクトル成分を取り除き、
前記光フィルタを通過した信号光のパワーに基づいて前記入力信号光の速度を識別する、
ことを特徴とする、信号光識別方法。
【図面の簡単な説明】
【００９７】
【図１】一実施形態に係るＷＤＭ伝送システムの構成例を示す図である。
【図２】実施例１に係るＷＤＭ伝送システムの構成例を示すブロック図である。
【図３】４０Ｇｂｐｓの信号光の周波数領域における波形を示す図である。
【図４】１０Ｇｂｐｓの信号光の周波数領域における波形を示す図である。
【図５】１０Ｇｂｐｓの信号光及び４０Ｇｂｐｓの信号光の周波数成分を模式的に示す図である。
【図６】実施例１に係るＷＤＭ伝送システムの動作例を示すフローチャートである。
【図７】実施例２に係るＷＤＭ伝送システムの構成例を示すブロック図である。
【図８】実施例２に係るＷＤＭ伝送システムの動作例を示すフローチャートである。
【図９】実施例３に係るＷＤＭ伝送システムの構成例を示すブロック図である。
【図１０】実施例４に係るＷＤＭ伝送システムの構成例を示すブロック図である。
【符号の説明】
【００９８】
１，１Ｂ，１Ｃ  可変減衰部（ＶＯＡ）
２，２Ａ，２Ｂ，２Ｃ  光カプラ
３，３Ｂ，３Ｃ  光フィルタ
３Ａ  波長可変光フィルタ
４，４Ａ，４Ｂ，４Ｃ  フォトディテクタ（ＰＤ）
５，５Ａ，５Ｂ，５Ｃ  判定部
６，６Ａ，６Ｂ，６Ｃ  スイッチ部
１０−１〜１０−Ｎ，１０Ａ，１０Ｂ−１〜１０Ｂ−Ｎ，１０Ｃ−１〜１０Ｃ−Ｎ  監視ユニット
２０，２０Ａ，２０Ｂ，２０Ｃ  アラーム処理部
３０，３０Ａ，３０Ｂ，３０Ｃ  ターミネータ（光終端部）
４０，４０Ａ，４０Ｂ，４０Ｃ  ＷＤＭカプラ（波長多重部）
５０，５０Ａ，５０Ｂ，５０Ｃ  ＷＤＭカプラ（波長分離部）
１００，１００−Ａ，１００−Ｂ，１００−Ｃ  ＷＤＭ伝送装置
２００，２００−Ａ，２００−Ｂ，２００−Ｃ  ＷＤＭ伝送装置
３００  光伝送路
【図１】
2009284347.tif 000003
【図２】
2009284347.tif 000004
【図３】
2009284347.tif 000005
【図４】
2009284347.tif 000006
【図５】
2009284347.tif 000007
【図６】
2009284347.tif 000008
【図７】
2009284347.tif 000009
【図８】
2009284347.tif 000010
【図９】
2009284347.tif 000011
【図１０】
2009284347.tif 000012